(57)【要約】【課題】遊技盤の強度を確保することができる配線基板の配置構造を提供する。【解決手段】ベース部材５１には、中空体に形成された有色プラスチックからなる電飾部９と、ベース部材に形成された取付穴に挿入されベース部材に固定される一般入賞口１０が設けられている。ベース部材５１の形状に沿うように、そしてベース部材の外形状内に重なるように形成された配線基板５４が、ベース部材の裏面に形成された凹部５５内に嵌め込まれるように配置される。これにより、ベース部材５１の裏面よりも後には配線基板５４は存在せず、遊技盤にベース部材５１を取付けるために必要となる取付穴は、一般入賞口１０に入賞した遊技球を遊技盤の裏側に誘導するために設けられている誘導部１６用の取付穴と配線基板５４に電気信号を供給するために設けられているコネクタ１８用の取付穴のみとなり、従来よりも大幅に遊技盤に形成する取付穴の大きさを小さくできる。【選択図】　　図１
2004008451.tif 000002
【特許請求の範囲】
【請求項１】
パチンコ機の遊技盤上の遊技領域に配設される電気部材を取り付けるため、あるいは前記電気部材に電気信号及び電源を供給するために設けられている配線基板の配置構造において、
前記配線基板が取り付けられ、且つ、前記遊技盤に取り付けられるベース部材を設け、
該ベース部材の裏面側に、前記配線基板を嵌め込むように取り付け可能であって、前記配線基板の厚さと略同じ深さを有する凹部を形成し、
前記ベース部材を前記遊技領域が形成されている遊技盤に取り付けたときに、前記ベース部材の凹部に取り付けられる前記配線基板の裏面を、前記ベース部材の底面よりも突出しないように配置させ、
且つ、前記遊技盤に取り付けられた凹部の形成されている前記ベース部材の表面上を、前記遊技領域を流下する遊技球が流下し得るように配置したことを特徴とする配線基板の配置構造。
【請求項２】
前記ベース部材は、遊技領域に配設されるサイドランプが取り付けられたベース部材であり、前記サイドランプは、前記配線基板に実装され、前記ベース部材と一体に中空部を有して形成された有色プラスチック内に配設されることを特徴とする請求項１に記載の配線基板の配置構造。
【発明の詳細な説明】
【０００１】
【発明の属する技術分野】
本発明は、遊技盤上の遊技領域に配設される電気部材を取り付けるため、あるいはその電気部材に電気信号、電力等を供給するために設けられている配線基板の配置構造に関するものである。
【０００２】
【従来の技術】
パチンコ機の遊技盤面上に配置される、いわゆるセンター役物装置は、遊技者の興趣を引くために近年、益々大型化してきている。そして、それに伴ない役物装置の重量が増加するとともに、役物装置を配設するために遊技盤（ベニヤ板）に形成する配設用穴はより大きく形成しなければならなくなってきている。
図６に、いわゆる第一種パチンコ機の遊技盤面の一形態を示す。
遊技盤１上には、ハンドル（図示省略）操作によって打出された遊技球を誘導する略円弧状の外レール２ａ及び内レール２ｂが設けられ、この２つのレール２ａと２ｂによって囲まれた部分が遊技領域３を形成している。遊技盤１（遊技領域３）のほぼ中央には役物装置としての可変表示装置５が配設されている。可変表示装置５には複数の表示部が設けられ、それらの表示部には複数の図柄が変動表示、および停止表示される。
【０００３】
可変表示装置５の左右両側には、遊技球の通過により可変表示装置５の一部、または別の表示装置の表示部に図柄の変動表示動作を開始させる通過チャッカ６が配設されている。また、可変表示装置５の下側には、遊技球の入賞により可変表示装置５の表示部に図柄の変動表示動作を開始させる始動入賞口７が配設されている。始動入賞口７の下側には、可変表示装置５の表示部に特定の図柄が停止表示したことを条件として継続して開放状態となる大入賞口８が設けられている。そして、内レール２ｂに沿った遊技領域３（図の左右両側）には、照明用ランプ、表示用ランプ等の発光表示による電飾効果を発揮させようとする電飾部９及び一般入賞口１０が配設されている。
【０００４】
図７は、図６に示す電飾部９及び一般入賞口１０が取り付けられているベース部材１１の側面図（ａ）、正面図（ｂ）、裏面図（ｃ）である。
ベース部材１１自体は薄板状を有している。電飾部９はベース部材１１の表面側（図（ａ）のベース部材１１左側）にベース部材１１と一体に形成され、有色プラスチックを中空体に形成した形状を有している。ベース部材１１には電飾部９の電飾効果を発揮させる表示用ランプ等（例えば、ＬＥＤ１２）の発光光線が中空部内を照射するように照射穴１３が形成されている。ＬＥＤ１２は配線基板１４に半田付けによって固定されており、配線基板１４はベース部材１１から所定の距離をおいて取付部材１５を介して固定されている。また、ＬＥＤ１２は、図（ｂ）のＡ−Ａ断面図（図（ｄ））に示すように照射穴１３にその先頭部が挿入された状態で配設されている。
【０００５】
一般入賞口１０はベース部材１１に形成されている取付穴（図示省略）にベース部材１１の表面側から嵌め込むように取り付けられている。一般入賞口１０に入賞した遊技球を遊技盤１の裏側に誘導する誘導部１６がベース部材１１の裏側に延び、また、一般入賞口１０を装飾する飾り部１７の位置するベース部材１１には上記と同様に照射穴１３が形成されＬＥＤ１２の先頭部が挿入された状態で配設されている。
配線基板１４は、ベース部材１１の形状と略同形状に形成され、裏面側から見たとき（図（ｃ））にベース部材１１の外形状内に重なるように取り付けられている。配線基板１４に固定されている各ＬＥＤ１２には、電源パターン及び電気信号パターンが接続されており、配線基板１４の裏面側（図（ａ）の右側）に設けられたコネクタ１８から電源及び電気信号が供給される。
【０００６】
このような構造を有するベース部材１１は、上述したように遊技領域３の両側に配設され遊技盤に固定される。また、上述したようにベース部材１１自体は薄板状を有しているため、遊技盤に取り付けられたベース部材１１上、例えば、図６に示す矢印Ｇ、Ｇ’、Ｇ”の経路を遊技球が通過可能であり、遊技球の流下する領域はベース部材１１の存在により遮断されず、大きく確保されている。
【０００７】
図８は、図６において、遊技領域３に配置されている可変表示装置５と、通過チャッカ６と、始動入賞口７と、大入賞口８と、電飾部９及び一般入賞口１０等が設けられているベース部材１１とを取り外した状態、即ち、上記各部材を取り付けるために遊技領域３に形成された取付穴２１、２５〜２８を示す図である。各取付穴は、各部材が配設される位置に、各部材の形状と略同形状に形成されている。
【０００８】
図９に、パチンコ機の遊技盤面の別の一形態を示す。
この形態は上述した図６に示す遊技盤面の形態と比較すると、遊技領域３に配設される部材の種類に関しては共通している。しかし、通過チャッカ６が配設される位置、及び、通過チャッカ６と始動入賞口７と電飾部９と一般入賞口１０が取り付けられているベース部材３１の形状において相違している。通過チャッカ６は始動入賞口７の左右両側に配設され、通過チャッカ６と始動入賞口７と電飾部９と一般入賞口１０は同一のベース部材３１に取り付けられている。
【０００９】
図１０は、図９に示す通過チャッカ６と始動入賞口７と電飾部９と一般入賞口１０が取り付けられているベース部材３１の側面図（ａ）、及び裏面図（ｂ）である。
ベース部材３１の形状は、図６の内レール２ｂに沿って左右の遊技領域３に配設される電飾部９及び一般入賞口１０が設けられたベース部材１１を、通過チャッカ６と始動入賞口７の配設されている位置を通って左右方向に延びるベース部材によって連結した形状を有している。
【００１０】
図７で説明した場合と同様に、電飾部９はベース部材３１の表面側にベース部材３１と一体に形成され、有色プラスチックを中空体に形成した構造を有している。また、ベース部材３１には表示用ランプ等（例えば、ＬＥＤ１２）の照射穴１３が形成され、配線基板３４に半田付けされたＬＥＤ１２の先頭部が照射穴１３に挿入されように、配線基板３４が取付部材１５を介してベース部材３１に固定されている。尚、図１０（ａ）には取付部材１５は一つしか示されていないが、実際には複数本の取付部材によって、配線基板３４がベース部材３１に固定されている。また、一般入賞口１０はベース部材１１に形成されている取付穴に取り付けられ、その誘導部１６はベース部材１１の裏側に延び、一般入賞口１０を装飾するＬＥＤ１２の先頭部が照射穴１３に挿入された状態で配設されている。
【００１１】
通過チャッカ６と始動入賞口７は、ベース部材３１の左右方向へ延びる部分に形成された取付穴に、表面側（図（ｂ）の紙面裏側）から嵌め込まれベース部材３１に固定されている。通過チャッカ６の後部３５、及び、始動入賞口７の後部３６はベース部材３１の裏面側に飛び出した状態になっている。そして、通過チャッカ６の中継端子３７と始動入賞口７の中継端子３８が、左右方向へ延びるベース部材３１に沿うように設けられた配線基板３４に半田付けによって固定されている。
配線基板３４は、ベース部材３１の形状と略同形状に形成され、ベース部材３１内に重なるように（図（ｂ））取り付けられている。配線基板３４に固定されている各ＬＥＤ１２、及び中継端子には、配線基板３４に形成した導電パターンが接続されており、配線基板３４の裏面側に設けられたコネクタ１８から電源あるいは電気信号が供給される。
【００１２】
図１１は、図９において、遊技領域３に配置されている可変表示装置５と、大入賞口８と、通過チャッカ６、始動入賞口７、電飾部９及び一般入賞口１０等が設けられているベース部材３１とを取り外した状態、即ち、上記各部材を取り付けるために遊技領域３に形成された取付穴２５、２８、４０を示す図である。各取付穴は、各部材が配設される位置に、各部材の形状と略同形状に形成されている。
【００１３】
【発明が解決しようとする課題】
ところで、センター役物装置を大型化することは、パチンコ機に対する遊技者の興趣を向上させるということに関しては有効な手段であった。しかしながら、上述した従来技術においては以下のような不具合があった。
【００１４】
即ち、センター役物装置、入賞口等の各部材を遊技盤に配設する場合には、各部材の一部を遊技盤に形成した取付穴に嵌め込むようにして配設する。従って、センター役物装置が大型化すると、それに伴ないセンター役物装置用として遊技盤に形成する取付穴も大型化することが必要となる。また、図７あるいは図１０に示すように、電飾部９や一般入賞口１０等の裏側には、それらの部材が取り付けられるベース部材１１、３１と略同形状の配線基板１４、３４が取付部材１５を介してベース部材１１、３１から所定の距離をおいて取り付けられるため、また装飾用ＬＥＤ１２がベース部材１１、３１の裏側に取り付けられるため、ベース部材１１、３１よりも後側に配置されるこれらの部材が通過できる大きさの取付穴を遊技盤に形成することが必要である。このため、図８あるいは図１１に示すように、役物装置の大型化に伴ない、遊技盤に形成される取付穴の遊技盤の全体の面積に対する割合が増加し、遊技盤自体の盤の強度が弱くなり、遊技盤に反りが発生し得る。そして、この遊技盤の反りは、遊技盤上を流下する遊技球に影響を及ぼし、遊技者および遊技店の双方に不利益を与え得る。
【００１５】
そこで、本発明は、上記課題に鑑みてなされたものであり、遊技盤に配設するセンター役物装置等の部材の数は変化させず、遊技盤に形成する取付穴の大きさを小さくすることができ、遊技盤自体の強度を確保することができる配線基板の配置構造の提供を目的とするものである。
【００１６】
【課題を解決するための手段】
上記課題を解決するために、請求項１に係る発明は、パチンコ機の遊技盤上の遊技領域に配設される電気部材を取り付けるため、あるいは前記電気部材に電気信号及び電源を供給するために設けられている配線基板の配置構造において、前記配線基板が取り付けられ、且つ、前記遊技盤に取り付けられるベース部材を設け、該ベース部材の裏面側に、前記配線基板を嵌め込むように取り付け可能であって、前記配線基板の厚さと略同じ深さを有する凹部を形成し、前記ベース部材を前記遊技領域が形成されている遊技盤に取り付けたときに、前記ベース部材の凹部に取り付けられる前記配線基板の裏面を、前記ベース部材の底面よりも突出しないように配置させ、且つ、前記遊技盤に取り付けられた凹部の形成されている前記ベース部材の表面上を、前記遊技領域を流下する遊技球が流下し得るように配置したことを特徴とするものである。
【００１７】
電気部材を取り付けるため、あるいはその電気部材に電気信号等を供給するために設けられている配線基板を、ベース部材に形成した凹部内に配置することにより、従来、ベース部材の裏側に設けていた部材を無くすことができ、それらを挿入するために遊技盤に設けていた取付穴を削除することができる。
【００１８】
また、請求項２に係る発明は、請求項１の発明において、前記ベース部材は、遊技領域に配設されるサイドランプが取り付けられたベース部材であり、前記サイドランプは、前記配線基板に実装され、前記ベース部材と一体に中空部を有して形成された有色プラスチック内に配設されることを特徴とするものである。
【００１９】
【発明の実施の形態】
以下、本発明に係る配線基板の配置構造の実施の形態を添付図面に基づいて説明する。
尚、本配線基板の配置構造は、従来例として説明したパチンコ機（図６、図９）の、遊技盤面上の部材に設けられる配線基板の配置構造を改良したものであるので、従来のパチンコ機と同様の部材については同一の符号を付し、その詳細な説明は適宜省略する。
図１は、本発明に係る配線基板の配置構造の一形態を示す図であり、電飾部９及び一般入賞口１０が取り付けられているベース部材５１の側面図（ａ）、正面図（ｂ）、裏面図（ｃ）、及び、円で囲むＢ部の拡大図（ｄ）を示す。このベース部材５１は、従来例の図６に示す遊技盤面１のベース部材１１と同様に、内レール２ｂに沿って遊技領域３の左右両側に配設される。
【００２０】
電飾部９は、ベース部材５１の表面側にベース部材５１と一体に形成されており、中空体に形成された有色プラスチックからなる。また、一般入賞口１０は、ベース部材５１に形成されている取付穴（図示省略）にベース部材５１の表面側から嵌め込まれ、ベース部材５１に取り付け固定される。ベース部材５１の裏側には、一般入賞口１０に入賞した遊技球を遊技盤１の裏側に誘導する誘導部１６が配設されている。また、図（ｃ）に示すように、ベース部材５１の裏側には、配線基板５４がベース部材５１の形状に沿うように、そして裏面側から見たときにベース部材５１の外形状内に重なるように配設されている。配線基板５４は、ベース部材５１に形成された凹部（後述する）に嵌め込まれるように配置され、ベース部材５１に固定されている。
【００２１】
ベース部材５１には、電飾部９の電飾効果を発揮させる表示用ランプ等（例えば、ＬＥＤ５２）が通過し得る大きさの穴５３が形成されている。配線基板５４に半田付けされたＬＥＤ５２は、この穴５３に挿入され、電飾部９が形成する中空部内に配設される。また、図（ａ）には示されていないが、図（ｃ）に示すように誘導部１６の下側にも穴５３が形成されており、配線基板５４に半田付けされたＬＥＤ５２が挿入され、一般入賞口１０を装飾する飾り部１７内（飾り部１７の空間部）にＬＥＤ５２が配設されている。
尚、配線基板５４に半田付けするＬＥＤ５２は、配線基板５４の裏側で半田付けすると、ランド部に盛る半田の厚さ分だけ配線基板５４の厚さが増すことになるので、例えば、図（ｄ）に示すように、配線基板５４の表側から導電ピン等を利用して半田付けする手法を取ることが望ましい。この手法によりベース部材５１に形成する凹部（後述する）の深さを最小限に抑えることができる。
【００２２】
図２は、図１（ｂ）のＥ−Ｅにおける断面図であり、ベース部材５１の構造、即ち、ベース部材５１とその凹部に配置される配線基板５４との関係が示されている。
ベース部材５１の裏側には凹部５５が形成されている。この凹部５５は、配線基板５４の板厚と略同一の深さを有し、図１（ｃ）に示される配線基板５４の形状と同形状に形成されている。そして、この凹部５５に配線基板５４が嵌め込まれるように配置され、配線基板５４の裏面（底面）がベース部材５１の底面５６と同一あるいは底面５６よりも高い位置になるように（凹部５５内に収納されるように）固定される。従って、図２及び図１（ａ）に示されるように、ベース部材５１の裏側（図２の下方向、図１（ａ）においては右方向）には配線基板５４は存在しなくなる。
【００２３】
このように凹部５５の形成されたベース部材５１は、凹部５５の形成されていないベース部材５１の部分よりも凹部５５の深さ分だけ部材の厚さが厚くなる。従って、ベース部材５１が遊技領域３に取り付けられたときに、電飾部９、一般入賞口１０が設けられていないベース部材５１上、例えば、図１の矢印Ｆ、Ｆ’で示す部分のベース部材５１上を遊技球が流下できるようにベース部材５１の厚さが形成されている。これにより、ベース部材に凹部が形成されていない従来のベース部材と同様の遊技球の流下経路が確保される。
【００２４】
尚、配線基板５４に固定されている各ＬＥＤ５２には、配線基板５４に形成された電源パターン及び電気信号パターンが接続されており、配線基板５４の裏面に配設されるコネクタ１８から電源及び電気信号が供給される。従って、このコネクタ１８は、図１（ａ）に示すように、ベース部材５１よりも裏側に配設されることになる。
【００２５】
図３は、本願発明において、従来例の図６と同様に遊技領域３に配置される可変表示装置５と、通過チャッカ６と、始動入賞口７と、大入賞口８と、電飾部９及び一般入賞口１０等が設けられているベース部材１１とを取り外した状態、即ち、上記各部材を取り付けるために遊技領域３に形成された、本発明の配線基板の配置構造に対応する取付穴６１、６２、６５〜６８を示す図である。
従来例の図８に示されている遊技領域３に形成された取付穴２１、２５〜２８と比較すると、可変表示装置５、通過チャッカ６、始動入賞口７、大入賞口８を取り付けるための取付穴６５、６６、６７、６８については、従来の取付穴２５、２６、２７、２８と同一の形状、大きさを有している。しかしながら、電飾部材９及び一般入賞口１０等が設けられているベース部材１１を取り付けるため取付穴６１、６２の形状、大きさに関しては、従来の取付穴２１と相違している。
【００２６】
本発明の配線基板の配置構造によると、上述したように、配線基板５４はベース部材５１に形成された凹部５５内に収納されるように配置されるので、ベース部材５１の裏面よりも後側に配設される部材は、電源及び電気信号を供給するためのコネクタ１８と一般入賞口１０に入賞した遊技球を遊技盤の裏側に誘導するための誘導部１６のみである。従って、ベース部材５１を遊技盤に取り付けるために遊技領域３に形成することが必要となる取付穴は、コネクタ１８と誘導部１６を挿入するためにの取付穴６１と６２になる。この取付穴６１、６２は、コネクタ１８、誘導部１６が通過可能な穴もしくはこれらと同形状の穴であり、図８に示すベース部材１１を取り付けるための取付穴２１と比較すると、形状が全く相違すると共にその大きさも大幅に小さくなっている。
【００２７】
図４は、本発明に係る配線基板の配置構造の別の一形態を示す図であり、図９に示す通過チャッカ６と始動入賞口７と電飾部９と一般入賞口１０が取り付けられているベース部材７１の側面図（ａ）、及び裏面図（ｂ）を示す。
ベース部材７１の形状は、図１０に示すベース部材３１と同様に、図６の内レール２ｂに沿って左右の遊技領域３に配設される電飾部９及び一般入賞口１０が設けられたベース部材１１を、通過チャッカ６と始動入賞口７の配設されている位置を通って左右方向に延びるベース部材によって連結した形状を有している。通過チャッカ６は始動入賞口７の左右両側に配設され、通過チャッカ６と始動入賞口７と電飾部９と一般入賞口１０は同一のベース部材７１に取り付けられている。
【００２８】
電飾部９は、ベース部材７１の表面側にベース部材７１と一体に形成されており、中空体に形成された有色プラスチックからなる。また、一般入賞口１０は、ベース部材７１に形成されている取付穴（図示省略）にベース部材７１の表面側から嵌め込まれ、ベース部材７１に取り付け固定される。ベース部材７１の裏側には、一般入賞口１０に入賞した遊技球を遊技盤１の裏側に誘導する誘導部１６が飛び出した状態で配設されている。
通過チャッカ６と始動入賞口７は、ベース部材７１の左右方向へ延びる部分に形成された取付穴に、表面側（図（ｂ）の紙面裏側）から嵌め込まれベース部材７１に固定されている。通過チャッカ６の後部３５、及び、始動入賞口７の後部３６はベース部材７１の裏側に飛び出した状態になっている。
【００２９】
図（ｂ）に示すように、ベース部材７１の裏側には、配線基板７４がベース部材７１の形状に沿うように、そして裏面側から見たときにベース部材７１の外形状内に重なるように配設されている。配線基板７４は、ベース部材７１に形成された凹部（後述する）に嵌め込まれるように配置され、ベース部材７１に固定されている。配線基板７４には、電飾部９の電飾効果を発揮させる表示用ランプ（例えば、ＬＥＤ５２）が半田付けによって固定されている（図示省略）が、ベース部材７１に形成された穴７３に挿入され、電飾部９が形成する中空部内に配設されている。また、同様にして一般入賞口１０の飾り部１７内にもＬＥＤ５２が配設されている。通過チャッカ６の中継端子３７と始動入賞口７の中継端子３８は、左右方向へ延びるベース部材７１に沿うように設けられた配線基板７４に半田付けによって固定され、配線基板７４に形成された信号パターンあるいは電源パターンに接続されている。
【００３０】
図示は省略するが、この形態においても、ベース部材７１の構造、即ち、ベース部材７１とその凹部に配置される配線基板７４との関係は、上述した図２に示す形態のベース部材５１と配線基板５４の配置関係と同様の関係を有している。ベース部材７１の裏側には、配線基板７４の板厚と略同一の深さを有し、配線基板７４の形状と同形状を有する凹部が形成されている。そして、この凹部に配線基板７４が嵌め込まれるように配置され、配線基板７４の裏面（底面）がベース部材７１の底面７６と同一あるいは底面７６よりも奥に位置するように（凹部内に収納されるように）固定される。従って、図４（ａ）に示されるように、ベース部材７１の裏側（図においては右側）には配線基板７４は存在しなくなる。尚、配線基板７４に固定されている各ＬＥＤ５２には、配線基板５４に形成された電源パターン及び電気信号パターンが接続され、配線基板７４の裏面上に配設されるコネクタ１８から電源及び電気信号が供給される。このコネクタ１８は、図４（ａ）に示されるように、ベース部材７１よりも裏側に配設されることになる。
【００３１】
図５は、本願発明において、従来例の図９と同様に遊技領域３に配置される可変表示装置５と、通過チャッカ６と、始動入賞口７と、大入賞口８と、電飾部９及び一般入賞口１０等が設けられているベース部材３１とを取り外した状態、即ち、上記各部材を取り付けるために遊技領域３に形成された、本発明の配線基板の配置構造に対応する取付穴８１、８２、８５〜８８を示す図である。
従来例の図１１に示されている遊技領域３に形成された取付穴２５、２８、４０と比較すると、可変表示装置５、大入賞口８を取り付けるための取付穴８５、８８については、従来の取付穴２５、２８と同一の形状、大きさを有している。しかしながら、通過チャッカ６と、始動入賞口７と、電飾部材９及び一般入賞口１０等が設けられているベース部材１１を取り付けるため取付穴８１、８２、８６、８７の形状、大きさに関しては、従来の取付穴２５と相違している。
【００３２】
本発明の配線基板の配置構造によると、上述したように、配線基板７４はベース部材７１に形成された凹部内に収納されるように配置されるので、ベース部材７１の裏面よりも後側に配設される部材は、コネクタ１８と誘導部１６と通過チャッカ６の後部３５及び中継端子３７と始動入賞口７の後部３６及び中継端子３８のみである。従って、ベース部材７１を遊技盤に取り付けるために遊技領域３に形成することが必要となる取付穴は、これらの部材を挿入するためにの取付穴８１と８２と８６と８７になる。これらの取付穴８１、８２、８６、８７は、各部材が通過可能な穴もしくはこれらの部材と同形状の穴であり、図１１に示すベース部材３１を取り付けるための取付穴４０と比較すると、形状が全く相違すると共にその大きさも大幅に小さくなっている。
【００３３】
【発明の効果】
本発明に係る配線基板の配置構造によれば、電気部品を取り付けるためあるいは電源パターン、信号パターン等を形成するために、従来ベース部材の裏側にベース部材の底面（裏面）よりも突出して配設されていた配線基板が、ベース部材の裏面側に形成された凹部内に収納されるように配置されるので、配線基板を挿入するために遊技盤に形成していた従来の取付穴を削除すること、即ち取付穴を小さくすることができる。従って、例えば、遊技領域に配設されるセンター役物装置の大型化に伴ない、その装置を取り付けるために遊技盤に形成する取付穴が大きくなった場合にも、遊技盤に形成される取付穴全体の大きさとしては小さくすることができるので、遊技盤自体の強度を確保することができ、遊技盤の反りの発生を防止することができる。
【００３４】
また、ベース部材に形成する凹部の深さは、配線基板の板厚と略同一の深さに形成して、配線基板を凹部内に収納できるようにし、凹部が形成されているベース部材上を遊技領域を流下する遊技球が通過できるように形成したので、従来（凹部が形成されていないベース部材を用いたとき）の遊技球が流下できる経路と同一の経路を確保することができる。
【図面の簡単な説明】
【図１】（ａ）は、本発明に係る配線基板の配置構造の一形態を示す側面図である。
（ｂ）は、（ａ）に示される配線基板の配置構造の正面図である。
（ｃ）は、（ａ）に示される配線基板の配置構造の裏面図である。
（ｄ）は、（ａ）に示されるＢ部の拡大図である。
【図２】図１（ｂ）のＥ−Ｅ線における断面図である。
【図３】図１に示す配線基板の配置構造を用いたときに、遊技盤に形成される取付穴を示す図である。
【図４】（ａ）は、本発明に係る配線基板の配置構造の別の一形態を示す側面図である。
（ｂ）は、（ａ）に示される配線基板の配置構造の裏面図である。
【図５】図４に示す配線基板の配置構造を用いたときに、遊技盤に形成される取付穴を示す図である。
【図６】従来の、パチンコ機の遊技盤面の一形態を示す図である。
【図７】（ａ）は、図６に用いられる配線基板の配置構造の一形態を示す側面図である。
（ｂ）は、（ａ）に示される配線基板の配置構造の正面図である。
（ｃ）は、（ａ）に示される配線基板の配置構造の裏面図である。
（ｄ）は、（ｂ）のＡ−Ａ線における断面図である。
【図８】図７に示す配線基板の配置構造を用いたときに、遊技盤に形成される取付穴を示す図である。
【図９】従来の、パチンコ機の遊技盤面の別の一形態を示す図である。
【図１０】（ａ）は、従来の配線基板の配置構造の別の一形態を示す側面図である。（ｂ）は、（ａ）に示される配線基板の配置構造の裏面図である。
【図１１】図１０に示す配線基板の配置構造を用いたときに、遊技盤に形成される取付穴を示す図である。
【符号の説明】
１　　遊技盤
３　　遊技領域
５　　可変表示装置
６　　通過チャッカ
７　　始動入賞口
８　　大入賞口
９　　電飾部
１０　一般入賞口
５１　ベース部材
５２　サイドランプ
５４　配線基板
５５　凹部
【図１】
2004008451.tif 000003
【図２】
2004008451.tif 000004
【図３】
2004008451.tif 000005
【図４】
2004008451.tif 000006
【図５】
2004008451.tif 000007
【図６】
2004008451.tif 000008
【図７】
2004008451.tif 000009
【図８】
2004008451.tif 000010
【図９】
2004008451.tif 000011
【図１０】
2004008451.tif 000012
【図１１】
2004008451.tif 000013